(57)【特許請求の範囲】
【請求項１】
所定の外周形状を有し衣服が掛止されるハンガ本体と、ハンガ本体の被取付箇所への取り付けを補助するアタッチメントが付属され、
前記ハンガ本体は、板状を呈し、その外周形状は、円形の他に、円盤形状や円柱形状や、正六角形、正八角形等の板状体のように多角形の角を多くして外周形状を略円形としたものや、正六角形や正八角形の板状体の角を丸めたもののように多角形の角を丸めて外周形状を略円形としたもののうちいずれか一つの形状であり、前記板状のハンガ本体は、その厚み方向に通気孔が設けられ、ハンガ本体の外周形状の中心の裏側に一つ凸状に付設される第１の磁石が設けられ、
前記アタッチメントは、前記ハンガ本体の外周形状に対応する形状の基板と、基板の外周形状の中心の裏面に取り付けられて前記ハンガ本体の第１の磁石と吸着し合う第２の磁石と、基板の裏面に被取付箇所に取り付けるための取付手段を備えており、このアタッチメントが取付手段を介して被取付箇所に取り付けられるとともに、前記第２の磁石に前記ハンガ本体の第１の磁石が吸着されることにより、前記ハンガ本体がこのアタッチメントを介して所定の被取付箇所に取り付けられるか、
又は、前記アタッチメントは、外周形状に対応する形状の基板と、基板の外周形状の中心の裏面に取り付けられて前記ハンガ本体の第１の磁石と吸着し合う第２の磁石を備え、この第２の磁石が前記取付手段の役割を同時に果たすものであり、このアタッチメントが取付手段を介して被取付箇所に取り付けられるとともに、前記第２の磁石に前記ハンガ本体の第１の磁石が吸着されることにより、前記ハンガ本体がこのアタッチメントを介して所定の被取付箇所に取り付けられることを特徴とするアタッチメントが付属するハンガ。
【請求項２】
前記ハンガ本体の外周形状が円形であり、前記アタッチメントの外周形状は、前記ハンガ本体の外周形状に対応する円盤形状であり、前記ハンガ本体の表側から突出して把持される把持部が前記第１の磁石と対向する位置に設けられていることを特徴とする請求項１に記載のアタッチメントが付属するハンガ。
【請求項３】
前記アタッチメントには、前記ハンガ本体をアタッチメントに取り付けたときにハンガ本体の第１の磁石よりも少なくとも下方となる位置に、ハンガ本体の側に向かって突出した突起が円弧状に設けられていることを特徴とする請求項２に記載のアタッチメントが付属するハンガ。
【請求項４】
請求項１乃至請求項３のいずれか一項に記載のハンガを使用して、衣服をハンガ本体に掛けるとともに、前記ハンガ本体の第１の磁石と前記アタッチメントの第２の磁石との間に衣服が配された状態で、前記アタッチメントの取付手段を介して所定の被取付箇所に前記ハンガ本体を取り付けることを特徴とするアタッチメントが付属するハンガを使用した衣服の吊り下げ方法。
【発明の詳細な説明】
【０００１】
【発明の属する技術分野】
この発明は、ロッカ側面や壁等の所定の被取付箇所に磁石を介して取り付けられて衣服が吊り下げられるアタッチメントが付属するハンガ及びこのハンガを使用した衣服の吊り下げ方法に関する。
【０００２】
【従来の技術】
従来、衣服を掛けて吊り下げるために使用されるハンガは、逆Ｖ字形状や略二等辺三角形状のハンガ本体の上部中央付近にフックが付設されており、このフックをロッカ内の支持ロッドや壁等に取り付けられたフック等に係止させて、吊り下げられて使用される。しかし、かかるハンガは、例えばロッカの側面や任意の壁面等のように、ハンガのフックを係止するための支持ロッドやフック等の支持具がない場所には掛けることができない。
【０００３】
そこで例えば、図１７に示すように、フックＫｆの基端部側に磁石が設けられた掛止具Ｋが存在する。この掛止具Ｋは、磁石を介してスチール製のロッカ側面等に取り付けられ、フックＫｆにシャツの襟首部分やズボンやスカートの腰周りの一箇所を掛けるようにして吊り下げて使用される。この係止具Ｋを使用すると、磁石が吸着する箇所（被取付箇所）であれば、支持ロッドやフック等の支持具が無い箇所でも上記磁石を介して係止具Ｋを被取付箇所に取り付け、衣服を掛けることができる。
【０００４】
また、本願出願人は、特開平１１−３１３７４８公報（特願平１０−１２４７０１号）において磁石付きハンガを提案している。この磁石付きハンガは、ハンガ本体が一般的なハンガのように逆Ｖ字形状や略二等辺三角形状の形状で、ハンガ本体の裏側には磁石が埋め込まれて付設されており、スチール製のロッカ側面等の被取付箇所に取り付けられる。このハンガを使用する場合は、まず一般のハンガと同様に逆Ｖ字形状や略二等辺三角形状のハンガ本体に衣服の肩を合わせて衣服を掛け、その後に衣服が掛けられた状態のハンガ本体を磁石を介して被取付箇所に取り付けて使用される。衣服はハンガ本体に掛けられるとともに被取付箇所と磁石との間に挟持されて吊り下げられる。衣服をハンガ本体から外すときは、ハンガ本体を被取付箇所から取り外した後に、衣服をハンガ本体から外す。
【０００５】
【発明が解決しようとする課題】
ところで、病院や研究所や工事現場等においては白衣や作業着等が着用されている。この白衣や作業着等は医療行為中や実験・研究中や工事作業中に着用され、それ以外のとき（例えば食事や外出時）は脱いでおかれるものであり、同じ白衣や作業着等を使用して何度も着衣・脱衣が繰り返えされる。このように一旦脱がれた白衣や作業着等は、整理整頓や皺防止などのためにハンガに掛けてロッカ等に収納されるのが望ましい。しかし、白衣や作業着等は着用中に薬品や雑菌、埃や汗が付着するため不衛生であり、他の衣類と一緒に収納するのを避けることが多い。また、頻繁に着衣・脱衣が繰り返されるため、その度にロッカに収納したり取り出すのは煩雑である。ロッカの数が少なかったり、ロッカの収納スペースが小さいため、白衣や作業着等が収まりきらない場合もある。このため、白衣や作業着等は一旦脱がれると、例えば椅子に掛けられたり、机の上に無造作に置かれることが多く、白衣や作業着等が散らかって整理整頓がなされない状況となったり、白衣や作業着等に付着している雑菌や埃等が机や椅子などを汚染したり、再度白衣や作業着等を着用する場合には皺になっていることも多かった。
【０００６】
かかる状況を改善するために、上記従来例の掛止具Ｋや本願出願人が開示する磁石付きハンガが使用される場合がある。しかしながら、上記前者の掛止具Ｋを使用するとフックＫｆに掛けられた箇所を中心として衣服が重なり合い、後者の磁石付きハンガを使用すると衣服がハンガと被取付箇所との間に隙間無く挟まれるため、どちらの磁石付きハンガも衣服に対する通気性が悪く、湿気や臭いがこもってしまう等（特に白衣や作業着等は水や薬品や汗が付着している。）の問題を有していた。また、上記いずれの従来例も、衣服を掛けても落下しない程度に強力な磁石が使用されるため、掛止具Ｋやハンガを被取付箇所から取り外すには強く引っ張る必要が生じる場合があり、取り外し難いという問題を有していた。さらに、上記いずれの従来例も、掛止具Ｋやハンガが傾いて取り付けられると、白衣や作業着等がフックＫｆやハンガから滑り落ちたり、上下逆に取り付けられると白衣や作業着等を掛けることすら困難になってしまう。このため、掛止具Ｋやハンガを被取付箇所に取り付ける際には、常にハンガの上下を確認したり、取り付け状態に傾きがないか注意を払わなければならず煩雑である。
【０００７】
また、上記掛止具Ｋに関しては、フックＫｆの先端で衣服を保持することとなり、衣服に皺が生じ易くなっていた。また、掛止具Ｋに衣服を掛ける際には、上着の襟首付近やズボンの腰周りに付けられているタグやフックをフックＫｆに掛けて使用するため、このタグやフックが切れてしまったり、最初から付けられていないものに関しては掛止具Ｋに掛けるのが困難であった。タグやフックを掛けられない場合は、襟首部分などを掛けて使用される場合もあるが、掛止具Ｋｆに掛けた部分が伸びたり破れて破損してしまうこともあった。また、襟首部分などをフックＫｆに掛けるだけでは不安定で、時間の経過とともにずり下がって落下してしまうことも多かった。特に、白衣や作業着等はポケットにペンライトや作業用具（筆記具やメジャー等）が入れられていることが多いので、その重みが衣服にかかり、これらの問題が発生し易くなっていた。
【０００８】
また、上記従来例の磁石付きハンガに関しては、ハンガ本体と被取付箇所との間において、衣服の厚い部分（襟やポケットや縫い目等）が配された場合や衣服が重なり合って部分的に厚みが生じた場合は、その厚みによりハンガ本体が浮き上がって被取付箇所から落下してしまうという問題を有していた。また、ハンガ本体が逆Ｖ字形状や略二等辺三角形状である場合は、白衣や作業着の上着等は皺を寄らせずに掛けることができるが、作業着のズボン等は直接ハンガ本体に掛けることができなかった。
【０００９】
そこで本発明の目的は、衣服を掛けるときにその掛止位置やその方向性を気にかけることなく吊り下げることができるとともに、衛生的な吊り下げ状態が得られ、更に、ハンガの被取付箇所に対する取り付け状態を安定させることができ、ハンガの取り外しも容易に行うことができるアタッチメントが付属するハンガ及びこのハンガを使用した衣服の吊り下げ方法を提供することにある。
【００１０】
【課題を解決するための手段】
上記課題を解決するために、本発明の請求項１記載のアタッチメントが付属するハンガは、所定の外周形状を有し衣服が掛止されるハンガ本体と、ハンガ本体の被取付箇所への取り付けを補助するアタッチメントが付属され、
前記ハンガ本体は、板状を呈し、その外周形状は、円形の他に、円盤形状や円柱形状や、正六角形、正八角形等の板状体のように多角形の角を多くして外周形状を略円形としたものや、正六角形や正八角形の板状体の角を丸めたもののように多角形の角を丸めて外周形状を略円形としたもののうちいずれか一つの形状であり、前記板状のハンガ本体は、その厚み方向に通気孔が設けられ、ハンガ本体の外周形状の中心の裏側に一つ凸状に付設される第１の磁石が設けられ、
前記アタッチメントは、前記ハンガ本体の外周形状に対応する形状の基板と、基板の外周形状の中心の裏面に取り付けられて前記ハンガ本体の第１の磁石と吸着し合う第２の磁石と、基板の裏面に被取付箇所に取り付けるための取付手段を備えており、このアタッチメントが取付手段を介して被取付箇所に取り付けられるとともに、前記第２の磁石に前記ハンガ本体の第１の磁石が吸着されることにより、前記ハンガ本体がこのアタッチメントを介して所定の被取付箇所に取り付けられるか、
又は、前記アタッチメントは、外周形状に対応する形状の基板と、基板の外周形状の中心の裏面に取り付けられて前記ハンガ本体の第１の磁石と吸着し合う第２の磁石を備え、この第２の磁石が前記取付手段の役割を同時に果たすものであり、このアタッチメントが取付手段を介して被取付箇所に取り付けられるとともに、前記第２の磁石に前記ハンガ本体の第１の磁石が吸着されることにより、前記ハンガ本体がこのアタッチメントを介して所定の被取付箇所に取り付けられることを特徴とする。
【００１１】
この発明によれば、ハンガにシャツやズボンやスカート等の衣服を吊り下げて使用するときは、シャツの襟首部分やスカートの腰周りの内側をハンガ本体に掛止させた後に、第１の磁石を介して被取付箇所に取り付ける。このとき、シャツの後身ごろ上部の内側やズボンやスカートの腰周りの内側等に第１の磁石を当てるようにして、第１の磁石を介して被取付箇所に取り付けることが好ましい。すると、衣服はハンガ本体に掛けられるとともに後身ごろ上部や腰周り部分が磁石と被取付箇所との間に配されて挟持された状態でハンガに吊り下げられる。第１の磁石の一側面側に凸状に付設されているため、ハンガ本体と衣服との間に隙間が生じて通気が確保される。また、ハンガ本体と被取付箇所との間にも隙間が生じるため、ハンガ本体と被取付箇所との間に衣服の厚い部分（例えば、縫い目や襟やポケット等）が配されたり、衣服が重なり合って厚みが生じた場合でもその隙間に収まる。したがって、ハンガの磁石と被取付箇所との吸着状態が確保され、衣服の部分的な厚みによりハンガ本体が押し上げられて磁石が浮き上がりハンガが被取付箇所から外れるという事態も生じ難い。
【００１２】
そして、この発明によれば、予めアタッチメントを取付手段を介して被取付箇所に取り付けておき、このアタッチメントの第２の磁石にハンガ本体の第１の磁石を吸着させる。このアタッチメントを使用すると、ハンガ本体の第１の磁石とアタッチメントの第２の磁石とが吸着し合ってハンガが被取付箇所に取り付けられるため、アタッチメントを使用しない場合と比較して、より強い吸着力をもって取り付けられる。すなわち、被取付箇所にハンガが直接取り付けられると、磁石が被取付箇所に吸着するだけなので吸着力が不足な場合があり、ハンガが被取付箇所から外れたり滑り落ちる場合がある。これに対して、本発明によれば、ハンガ本体とアタッチメントとは磁石同士が吸着し合うため吸着力が強く、ハンガが外れたり滑り落ち難くなる。また、アタッチメントの厚みにより被取付箇所と衣服との間に隙間が生じるため、さらに通気性が向上される。アタッチメントの取付手段としては、アタッチメントの裏側に磁石を取り付けて被取付箇所に吸着可能としたものでも良い。また、両面テープ等の粘着シートやネジや釘やビスを取付手段として使用して、ガラス製の窓や木製の壁面等の磁石が吸着しない任意の被取付箇所にもハンガを取り付け可能としても良い。
【００１３】
また、前記ハンガ本体は外周形状が略円形であるため、ハンガがいかなる方向で被取付箇所に取り付けられても、略円形状のハンガ本体にシャツの襟首部分の内側やズボン・スカートの腰周りの内側等を掛止させることができる。すなわち、ハンガ本体は外周形状が円形であり方向性が無いため、いかなる方向で取り付けても衣服を掛けることができ、ハンガ本体の傾きを原因として衣服が滑り落ちたり衣服が掛けられない事態も生じない。ハンガを取り付ける際には、ハンガの上下方向を確認したり、取り付け状態の傾きに注意する必要がないため、取り付けの煩雑さが軽減される。外周形状が略円形のものには、円盤形状や円柱形状や、外周形状が多角形であるが角を多くしてほぼ円形としたものや、多角形の角を丸めてほぼ円形としたものも含まれる。
【００１４】
【００１５】
また、第１の磁石は、ハンガ本体の外周形状の中心の裏側に一つ凸状に付設されていることから、第１の磁石よりも離れた位置であればハンガ本体のいずれの位置を押しても、梃子の原理により中心の磁石を支点としてハンガ本体が傾き、第１の磁石の一部が被取付箇所から離れ、ハンガ本体を被取付箇所から簡単に取り外すことができる。なお、ハンガ本体を押す位置は磁石からより離れた位置であるほうが小さい力でハンガ本体を傾けることができるため、例えばハンガ本体の外周端部であることが望ましい。
【００１６】
【００１７】
また、ハンガ本体には厚み方向に通気孔が設けられているため、通気孔を介して衣服の内側の空気が流動し、衣服に対する通気性が確保される。したがって、衣服が乾燥しやすく、衣服に臭いがこもることが防止される。
【００１８】
【００１９】
【００２０】
本発明の請求項２記載のアタッチメントが付属するハンガは、請求項１に記載のアタッチメントが付属するハンガを前提として、前記ハンガ本体の外周形状が円形であり、前記アタッチメントの外周形状は、前記ハンガ本体の外周形状に対応する円盤形状であり、前記ハンガ本体の表側から突出して把持される把持部が前記第１の磁石と対向する位置に設けられていることを特徴とする。
【００２１】
この発明によれば、前記ハンガ本体には、ハンガ本体の表側から突出して把持される把持部が設けられているため、把持部を把持してハンガ本体に衣服を掛けたり、把持部を把持してハンガを被取付箇所に取り付けたり取り外したりすることができる。また、第１の磁石の磁力が強力なものでも、把持部を把持して被取付箇所から容易に取り外すこともできる。
【００２２】
本発明の請求項３記載のアタッチメントが付属するハンガは、前記請求項２に記載のアタッチメントが付属するハンガを前提として、前記アタッチメントには、前記ハンガ本体をアタッチメントに取り付けたときにハンガ本体の第１の磁石よりも少なくとも下方となる位置に、ハンガ本体の側に向かって突出した突起が円弧状に設けられていることを特徴とする。
【００２３】
この発明によれば、アタッチメントには、ハンガ本体をアタッチメントに取り付けたときにハンガ本体の第１の磁石よりも少なくとも下方となる位置に、ハンガ本体の側に向かって突出した突起が円弧状に設けられているため、衣服が掛止されたハンガ本体をアタッチメントに取り付けると、アタッチメントの突起に衣服が引っ掛かる。したがって、衣服はハンガ本体に掛止されるだけでなく、アタッチメントにも掛止された状態となるため、衣服の重量がハンガ本体とアタッチメントとに分散され、ハンガ本体が被取付箇所から外れたり滑り落ち難くなる。また、衣服が重すぎて（ペンライト等がポケットに収納された場合等）ハンガ本体がアタッチメントの表面を滑り落ちてしまう場合でも、アタッチメントの突起がストッパーとなり、ハンガ本体がそれ以上に滑り落ちるのを防止することができる。この突起は、ハンガの磁石よりも下方となる位置にのみ部分的に設けても良い。また、アタッチメントの外周縁に沿ってハンガ本体の第１の磁石を取り囲むように突起を設けると、いずれの方向でアタッチメントを被取付箇所に取り付けても、第１の磁石の下方に突起が位置することとなるため、アタッチメントの取り付けに際する利便性の観点から望ましい。
【００２４】
【００２５】
【００２６】
本発明の請求項４載のアタッチメントが付属するハンガを使用した衣服の吊り下げ方法は、請求項１乃至請求項３のいずれか一項に記載のアタッチメントが付属するハンガを使用して、衣服をハンガ本体に掛けるとともに、前記ハンガ本体の第１の磁石と前記アタッチメントの第２の磁石との間に衣服が配された状態で、前記アタッチメントの取付手段を介して所定の被取付箇所に前記ハンガ本体を取り付けることを特徴とする。
【００２７】
この発明によれば、予めアタッチメントを取付手段を介して被取付箇所に取り付けておき、このアタッチメントの第２の磁石にハンガ本体の第１の磁石を吸着させる。このアタッチメントを使用すると、アタッチメントを使用しないでハンガ本体を被取付箇所に直接取り付ける場合と比較して、より強い吸着力をもって被取付箇所に取り付けることが可能となる。すなわち、ハンガ本体が被取付箇所に直接取り付けられる場合は、第１の磁石が被取付箇所に吸着するだけであるため、吸着力が不足な場合があり、ハンガ本体が被取付箇所から外れたり滑り落ちる場合がある。しかし、本発明のアタッチメントを使用すれば、ハンガ本体とアタッチメントとは磁石同士が吸着し合うため吸着力が強く、ハンガ本体が外れたり滑り落ち難くなる。また、アタッチメントの厚みにより被取付箇所と衣服との間に隙間が生じるため、さらに通気性が向上される。
【００２８】
【発明の実施の形態】
以下、本考案の一実施の形態を図面を参照しながら説明する。なお、本明細書中において、衣服として病院や研究所で多く着用される白衣を例に説明するが、衣服とは白衣だけでなく、作業着の上着やズボン、シャツや背広やセーター、スラックスやスカート等を含むものである。
【００２９】
（第１の実施の形態）
図１は本実施の形態のハンガＨを示す斜視図であり、図２はその正面図であり、図３はその断面図であり、図４はその背面図であり、図５（ａ）（ｂ）はその使用状態を示す図である。本実施の形態のハンガＨは、スチール製のロッカ側面や鉄板製の壁面等の被取付箇所Ｗに磁石を介して取り付けられ、衣服Ｃが吊り下げられて使用されるものである。このハンガＨは、衣服が掛けられるハンガ本体１と、ハンガ本体１の裏側１ａに付設された第１の磁石２と、ハンガ本体１の表側１ｂから突出した把持部５とを備える。
【００３０】
ハンガ本体１は円盤形状であり、透明なプラスチックが使用されている。ハンガ本体１の材料としては、プラスチック等の合成樹脂製の他、木や金属やその他の材料であっても良い。このハンガ本体１の大きさは直径が約１２ｃｍであるが、それ以下でも以上でも良く、さらには衣服Ｃがハンガ本体１に掛けられたときに、衣服Ｃに皺が寄るのをある程度防止できる程度に衣服Ｃが広げられる大きさであることが好ましい。ハンガ本体１を大きくすることにより、衣服Ｃをより広げた状態で掛けることができ、衣服Ｃに皺が寄るのを少なくできる。また、ハンガ本体１の形状は、円盤形状に限らず、ある程度の厚みを有する円柱形状でも良い。一方、ハンガの上下方向や取り付け状態の傾きを注意せずに取り付けられるという取り付け時の利便性やいずれの方向に取り付けても衣服が滑り落ちないという機能性を重視する場合は、ハンガ本体１は周形状が略円形であることが好ましい。この外周形状が略円形のものには、円盤形状や円柱形状や、正六角形や正八角形等の板状体のように多角形の角を多くして外周形状を略円形としたものや、正六角形や正八角形の板状体の角を丸めたもののように多角形の角を丸めて外周形状を略円形としたものも含まれる（図７（ａ）（ｂ）（ｃ）（ｄ））。
【００３１】
ハンガ本体１の裏側（一側面側）１ａには、円柱形状の凸部３が設けられている。この凸部３は、ハンガ本体１の裏側１ａの中央部分を突出させ、ハンガ本体１と一体的に形成されている。凸部３は直径が約３．５ｃｍ、高さｈが約２．５ｃｍであり、内側には第１の磁石２を嵌め込むための凹部３ａが第１の磁石２の形状に合わせて形成されており、具体的には凸部３の３分の２程度の深さで形成されている。なお、凸部３は円柱形状に限らず四角柱形状や他の形状でも良いが、第１の磁石２が嵌め込まれることから、第１の磁石２に合わせた形状であることが好ましい。また、この凸部３はハンガ本体１を突出させることなく別部材を取り付けて設けられても良い。凸部３を設けることなく直接第１の磁石２がハンガ本体１の裏側１ａに接着剤等により貼り付けられるようにしても良い（図６のハンガＨａ参照）。
【００３２】
第１の磁石２は、円柱形状であり、その両側に磁極を有する。この第１の磁石２は、ハンガ本体１の裏側１ａに設けられた凸部３を介して裏側１ａの中心に一つ付設されている。具体的には、第１の磁石２は、ハンガ本体１の裏側１ａに形成された凸部３の内側の凹部３ａに嵌め込まれて接着剤で固定されている。なお、第１の磁石２と凹部３ａとの間には、金属材６が配されているが、配されなくても良い。この金属材６は、プラスチック製の凸部３を補強するとともに磁力を強化する役割を有する。すなわち、第１の磁石２はハンガ本体１の裏側１ａから凸部３の高さｈの分だけ突出した状態となっている（図３）。第１の磁石２の突出する高さ（凸部３の高さ）ｈは約２．５ｃｍ以上でも以下でも良いが、ハンガ本体１に衣服Ｃを掛けたときに通気が確保される程度であり、且つ、高すぎて取り付け状態が不安定とならない程度の高さであることが好ましい。また、第１の磁石２の形状は四角柱形状やシート状や他の形状でも良く、付設される位置は外周端部等の他の位置でも良く、個数は２個以上でも良い。ただしハンガＨを被取付箇所Ｗに取り付けたときにハンガ本体１が安定する形状、位置及び数である必要がある。さらにハンガＨの取り外しの利便性を考慮すると、梃子の原理により第１の磁石２を支点としてハンガ本体１を傾けることができる形状、位置及び数であることが好ましい。また、図６に示すように、第１の磁石２は剥き出しのままでも良いが、本実施の形態のように側面がプラスチック等の樹脂に覆われた状態としたり、側面のみならず裏面（被取付箇所Ｗに吸着する面）をも樹脂に覆われた状態としたり、第１の磁石２を布等の柔らかい素材で覆うことにより、第１の磁石２が樹脂や布等を介して衣服Ｃに接するようにすると、衣服Ｃの破損を防止することができるため好ましい。磁石の種類は、例えばアルニコ磁石、Ｆｅ−Ｃｒ−Ｃｏ系磁石、フェライト磁石の他、Ｓｍ−Ｃｏ系磁石、Ｎｄ−Ｆｅ−Ｂ系磁石などの希土類系磁石などが好適である。なお、第１の磁石２を支点としてハンガ本体１を取り外す際に梃子の原理が効果的に働くように、第１の磁石２や凸部３の直径は、ハンガ本体１がある程度の幅で第１の磁石２や凸部３からはみ出す程度の大きさであることが望ましい。
【００３３】
ハンガ本体１には、円盤の厚み方向に通気孔４，，，４が複数設けられている。通気孔４，，，４は円形であり、ハンガ本体１の外周に沿って全体的にも円形に並ぶように８個形成されている。通気孔４，，，４の形状は円形に限らず四角形状や他の形状でも良く、大きさや数も任意である。通気性の確保の観点からは、大きな通気孔４を多く設けるほうが好ましいが、衣服Ｃを掛けてもハンガ本体１が割れたり破損しない程度の強度が保たれることが必要である。例えば、図８（ａ）のハンガＨｂのように、ハンガ本体１の外周縁に沿って楕円を湾曲させた形の２個の通気孔４，４が設けられても良い。図８（ｂ）のハンガＨｃのように、略円形の２個の通気孔４がハンガ本体１の外周端部１ｃにかかる位置に形成して、ハンガ本体１の外周端部１ｃが一部欠けた状態となっても良い。ハンガ本体１を金網状の金属部材で形成して通気孔４が占める面積を広し、通気性を高くすることも可能である。
【００３４】
把持部５は、ハンガ本体１の表側１ｂの中心において凸部３の厚みを利用してネジ止めされている（図３）。把持部５は、ハンガ本体１に衣服Ｃを掛止させる際や、ハンガＨを被取付箇所Ｗに対して取り付けたり取り外す際に把持されて使用されるものである。この把持部５の形状は、把持され易いように奥側（ハンガ本体１側）に向かって除々に細くなった円柱形状となっている。把持部５は把持され易いものであれば良く、例えば把持される部分５ａが太くてハンガ本体１と連結する部分５ｂが細くなったドアノブのような形状のものでも良いし（図６のハンガＨａ参照）、ハンガ本体１の一部を表側１ｂの側に凸状に成型したものでも良いし（図９のハンガＨｄ参照）、コ字状の金具等を取り付けたものでも良い（図１０のハンガＨｅ参照）。把持部３が取り付けられる位置はいずれの位置でも良いが、被取付箇所Ｗへの取り付けや取り外しが行い易いように第１の磁石２と対向する位置付近に取り付けるほうが好ましい。なお、把持部５は接着剤によりハンガ本体１の表側１ｂに接着されても良い（図６のハンガＨａ参照）。また、把持部５は設けられなくとも良く、この場合はハンガ本体１を把持したり、通気孔４，，，４に指を入れて把持しても良い。
【００３５】
かかるハンガＨに衣服Ｃを掛けるときは、衣服Ｃとして白衣を例に説明すると、まず把持部５を把持してハンガＨを持ち、衣服Ｃの後身ごろ上部Ｃ２の内側に第１の磁石２を当てるようにしてハンガ本体１を衣服Ｃの内側に配置させた後に、衣服Ｃの襟首部分Ｃ１をハンガ本体１に掛止させる。その後、スチール製のロッカ側面等の被取付箇所Ｗに第１の磁石２を吸着させてハンガ本体１を被取付箇所Ｗに取り付ける。すると、衣服Ｃはハンガ本体１に掛けられるとともに、被取付箇所Ｗと第１の磁石２との間に後身ごろ上部Ｃ２が挟持されて吊り下げられることとなる（図５）。ハンガ本体１に掛止される箇所は、シャツの襟首部分やスカートの腰周りの内側に限定されず、その方向性を問わない略円形状を利用して、シャツの後身ごろ（内側や外側を問わず）やスカートの腰周り以外の箇所を掛止させることもできる。すなわち、衣服のどの箇所であるかを特に気にすることなく掛止できる。
【００３６】
第１の磁石２はハンガ本体１の裏側１ａから所定の高さ（つまり凸部３の高さｈ）で突出しているため、ハンガ本体１と衣服Ｃとの間に隙間Ｓ１が生じて通気が確保される。ハンガ本体１には厚み方向に通気孔４，，，４が設けられているため、通気孔４，，，４を介して衣服Ｃの内側の空気が流動する。また、ハンガ本体１と被取付箇所Ｗとの間には隙間Ｓ２が生じるため、ハンガ本体１と被取付箇所Ｗとの間に衣服Ｃの厚い部分（例えば、縫い目や襟やポケット等）が配されたり、衣服Ｃが重なり合って厚みが生じた場合でもその隙間Ｓ２に収まる。したがって、衣服の部分的な厚みによりハンガ本体１が押し上げられて第１の磁石２が浮き上がりハンガＨが被取付箇所Ｗから外れるという事態も生じ難い。ハンガ本体１はある程度の大きさの円形であるため、フック状の掛止具と比較して衣服Ｃに皺が寄り難く、掛止された襟首部分Ｃ１が伸びたり破れたりして破損する事態も防止される。ハンガ本体１は円盤形状であるため、ハンガ本体１がいかなる方向で被取付箇所Ｗに取り付けられても、円盤形状のハンガ本体１に衣服Ｃを掛止させることができる。すなわち、ハンガ本体１は外周形状が円形の円盤形状であるため方向性が無く、いかなる方向で取り付けても衣服Ｃを掛けることができるため、ハンガ本体１の上下方向や傾きに注意して取り付ける必要がなく、取り付けが簡単である。ハンガＨを無造作に取り付けても、ハンガ本体１の傾きを原因として衣服Ｃが滑り落ちることがなく、衣服Ｃを掛けることすら不可能となる事態も生じない。
【００３７】
衣服ＣをハンガＨから外すときは、ハンガＨを被取付箇所Ｗから取り外してからハンガ本体１から衣服Ｃを外す。この際にハンガＨを被取付箇所Ｗから取り外すときは、ハンガ本体１の外周端部１ｃの一点を被取付箇所Ｗに押し付けるように指で押すか、把持部５を持って外周端部１ｃの一点が傾くようにする。すると、第１の磁石２を支点としてハンガ本体１が傾いて、第１の磁石２が被取付箇所Ｗから一部離された状態となる（梃子の原理）。この状態で把持部５を把持してハンガＨを被取付箇所Ｗから引き離す。第１の磁石２が被取付箇所Ｗから一部離された状態でハンガＨを引き離すため、ハンガＨを被取付箇所Ｗから簡単に取り外すことができる。第１の磁石２は円盤形状であるハンガ本体１の裏側１ａの中心に一つ付設されていることから、第１の磁石２よりも離れた位置であればいずれの位置を押しても、梃子の原理を利用することができるようになっている。
【００３８】
かかるハンガＨを病院や工事現場で使用すると、同じ白衣や作業着等を使用して何度も着衣・脱衣が繰り返されても、ハンガＨはスチール製のロッカ側面Ｗや鉄板製の壁面等に取り付けて使用することができるため、他の衣類と別にして掛けておくことが可能であり衛生的である。白衣や作業着等が机や椅子に放置され、机や椅子に白衣や作業着等に付着している雑菌や埃等が移って汚染されることも防止される。頻繁に着衣・脱衣が繰り返されても、逐一ロッカ内部に収納する必要がなく、ハンガＨをスチール製のロッカ側面等の被取付箇所Ｗに取り付けて簡単に整理することができる。さらにハンガ本体１が円盤形状であり方向性がないためハンガＨの上下や傾きに注意することなく無造作に取り付けることができ、収納や取り付け時の煩わしさも低減される。白衣や作業着は薬品や水や汗で濡れたり臭いが付くことが多いが、ハンガ本体１の裏側１ａから突出した第１の磁石２や通気孔４により通気性が確保されているため、乾きやすく臭いも消され易い。白衣や作業着にはペンライトや作業用具がポケット等に入れられて重くなることが多く、その重みにより白衣や作業着に皺が寄り易いが、ハンガ本体１はある程度の面積の円盤形状であるため、白衣や作業着をある程度広げて掛けることができ、フック状のハンガに掛けるよりも皺が寄り難い。また、ペンライトや作業用具が入れられて重くなってもハンガＨが被取付箇所Ｗから落ちないように、ハンガＨには強力な第１の磁石２を使用しなければならないが、梃子の原理により簡単に取り外すことが可能となっているため、強力な磁石が使用されても容易に取り外すことができる。
【００３９】
（第１の実施の形態の応用例）
図１１は第１の実施の形態のハンガＨの応用例であるハンガＨｆを示す断面図であり、図１２はその斜視図である。ハンガＨｆの把持部５はハンガ本体１の中央を表側１ｂの側に突出させて形成されている。把持部５の内側には把持部５の先端５ｃからハンガ本体１の裏側１ａに通じる空間７が形成されている。把持部５の先端５ｃにはキャップ５ｄが取り付けられ、ハンガ本体１の裏側１ａには第１の磁石２と金属材６が取り付けられて空間７が塞がれている。空間７には芳香剤や防虫剤が入れられ、キャップ５ｄに設けられた複数の孔５ｅや金属材６とハンガ本体１との隙間から芳香剤や防虫剤が衣服Ｃに供給される。芳香剤や防虫剤を空間７に収納・交換する場合は、キャップ５ｄを開けて空間７に芳香剤や防臭剤を収納したり取り出した後に、再度キャップ５ｄを閉める。キャップ５ｄは、把持部５の先端５ｃに取り付けられた状態において把持部５と一体となって把持部の役割も果たしている。
【００４０】
（第２の実施の形態）
図１３は本実施の形態のアタッチメントＡが付属されたハンガＨを示す斜視図であり、図１４はその断面図であり、図１５は使用状態を示す図である。本実施の形態のアタッチメントＡは、前記第１の実施の形態のハンガＨの被取付箇所Ｗへの取り付けを補助するもので、ハンガＨと組み合わせて使用される。アタッチメントＡは、基板８と、基板８の裏面８ａの中心に取り付けられてハンガＨの第１の磁石２と吸着し合う第２の磁石９と、アタッチメントＡを被取付箇所Ｗに取り付けるための取付手段１０とを備える。
【００４１】
基板８は、ハンガＨのハンガ本体１とほぼ同程度の大きさの円盤形状の板状体であり、プラスチックで形成されている。基板８は例えば四角形状や三角形状の板状体等のような他の形状でも良く、また、ハンガ本体１よりも大きくても小さくても良い。アタッチメントＡの裏面８ａには中心部分に第２の磁石９を嵌め込むための凹部８ｃが形成されている。
【００４２】
基板８の外周端部には、ハンガＨが取り付けられる側に突出した突起８ｄが外周に沿って設けられている。基板８の突起８ｄの幅は一定である。突起８ｄは基板８の外周端部を突出させて成型することにより一体的に形成されているが、別部材を取り付けて設けても良い。突起８ｄの高さは、ハンガＨがハンガ本体１に衣服Ｃを掛けた状態で取り付けられたときに、突起８ｄに衣服Ｃが引っかかる程度の高さであり、且つ、ハンガ本体１に接触しない程度の高さである。具体的には、突起８ｄの高さは約１ｃｍであるが、それ以上でも以下でも良い。突起８ｄの設けられる位置は、ハンガＨをアタッチメントＡに取り付けたときにハンガＨの第１の磁石２よりも下方となる位置であれば良く、例えば図１６に示すように第１の磁石２の下方となる位置に部分的に設けられても良い。ただし、本実施の形態のように突起８ｄをアタッチメントＡの外周全体に沿って設けると、いずれの方向でアタッチメントＡを被取付箇所Ｗに取り付けても下方となる位置に突起８ｄが位置することとなるため、アタッチメントＡの取り付けに際する利便性から望ましい。また、突起８ｄは設けられずに基板８の表面８ｂが平坦であっても良いが、ハンガＨの滑り止め防止の観点からは設けられるほうが好ましい。
【００４３】
第２の磁石９は、円柱形状であり、その両側に磁極を有する。この第２の磁石９は、ハンガＨが取り付けられたときにハンガ本体１に付設されている第１の磁石２と吸着し合う磁性を有する方向で、基板８の凹部８ｃに嵌め込まれて接着剤にて固定されている。第２の磁石９の直径はハンガＨの第１の磁石２とほぼ同じであり、高さは凹部８ｃに嵌め込んで固定されたときに後述する取付手段（薄板状の磁石）１０との段差が生じない高さになっている。この第２の磁石９は基板８の裏面８ａに形成された凹部８ｃに取り付けられているが、基板８の表面８ｂに凹部を設けて取り付けたり、表面８ｂに凹部を設けることなく直接取り付けても良い。ただし、本実施の形態のように裏面８ｃに設けるほうが良い。プラスチック製の基板８の表面８ｂを介して衣服Ｃが挟持されるため磁石９により衣服Ｃが破損されるのを防止できるためであり、また、裏面８ａにおいて被取付箇所Ｗに吸着して取付手段１０を補助する効果をも発揮するためである。第２の磁石９の大きさや形状も任意であり、ハンガＨの第１の磁石２よりも大きくても小さくても良い。また、アタッチメントＡ自体が一枚の強力なシート状の磁石であり、一枚のシート状の磁石が基板８と中央の第２の磁石９と取付手段１０の役割を同時に果たすようなものでもよい。この場合はアタッチメントＡのいずれの位置にハンガＨを取り付けても磁石同士が吸着して固定される。なお、第２の磁石９と凹部８ｃとの間には、プラスチック製の凹部８ｃを補強するとともに磁力を強化するための金属材１１が配されているが、配されなくても良い。
【００４４】
取付手段１０は、アタッチメントＡを被取付箇所Ｗに取り付けるためのもので、本実施の形態では、薄板状の磁石が使用されている。この取付手段１０である磁石は、中央の第２の磁石９と磁極の向きを揃える方向で配置されており、中央の第２の磁石９の部分を除いて基板８の裏面８ａの全体に接着剤により貼着されている。取付手段１０としては、アタッチメントＡを被取付箇所Ｗに取り付けることが可能となるものであれば良く、基板８の裏面８ａに両面テープ等の粘着シートを貼り付けたり、また、基板８をネジや釘やビス等で固定されるようにしても良い。取付手段１０が磁石の場合は、スチール製のロッカ側面や鉄板製の壁面等に簡単に取り付け・取り外しを行うことができる。一方、取付手段１０が両面テープやネジや釘やビスの場合は、ガラス製の窓や木製の壁面等の磁石が吸着しない場所にもアタッチメントＡを取り付けることができ、かかる任意の場所にもハンガＨを取り付けることができるようになる。
【００４５】
このアタッチメントＡは、前記第１の実施の形態のハンガＨと組み合わされてハンガとアタッチメントのセットとして使用される。アタッチメントＡは、あらかじめ取付手段１０によって被取付箇所Ｗに取り付けておかれる。衣服Ｃを掛けるときは、前記第１の実施の形態に記載したようにハンガＨのハンガ本体１に衣服Ｃを掛けた後に、ハンガＨの第１の磁石２をアタッチメントＡの中央に合わせて配置する。すると、ハンガＨの第１の磁石２とアタッチメントＡの中央の第２の磁石９とが吸着し合い、ハンガＨはアタッチメントＡを介して被取付箇所Ｗに取り付けられることとなる。衣服ＣはハンガＨとアタッチメントＡとの間に配され、ハンガＨの第１の磁石２とアタッチメントＡの第２の磁石９の間に衣服が挟持された状態で吊り下げられる。衣服Ｃの一部は突起８ｄに引っ掛かった状態となる。
【００４６】
このアタッチメントＡを使用することにより、ハンガＨがアタッチメントＡを介して被取付箇所Ｗに取り付けられる。ハンガＨの第１の磁石２はアタッチメントＡの第２の磁石９と吸着し合うこととなるため、ハンガＨを直接被取付箇所Ｗに取り付ける場合と比較して、より強い吸着力をもってハンガＨを被取付箇所Ｗに取り付けることが可能となる（図１５）。したがって、スーツやコート等のように衣服Ｃの重量が重い場合や、白衣や作業着の衣服Ｃのポケットにペンライトや作業用具等が入れられて重くなっているときでも、ハンガＨが被取付箇所Ｗから外れたり滑り落ち難くなる。また、取付手段１０として両面テープやビスや釘を使用する場合は、ガラス製の窓や木製の壁面等の磁石が吸着しない任意の場所にもハンガＨを取り付けることが可能となる。衣服Ｃの一部は突起８ｄに掛けられた状態となるため、衣服ＣはハンガＨに掛けられるだけでなく、アタッチメントＡにも掛けられた状態となり、衣服Ｃの重量がハンガＨとアタッチメントＡとに分散され、ハンガＨが外れたり滑り落ち難くなる。また、衣服Ｃの重量が重すぎてハンガＨがアタッチメントＡの表面８ｂを滑り落ちてしまう場合でも、基板８の突起８ｄがストッパーとなったり、取付手段１０であるシート状の磁石１０とハンガＨの第１の磁石２とが吸着し合うことで、ハンガＨがそれ以上に滑り落ちる事態を防止する。また、アタッチメントＡの厚みにより被取付箇所Ｗと衣服Ｃとの間に隙間が生じるため、さらに通気性が向上される。衣服Ｃに汗や埃や薬品が雑菌が付着していても、この汗や雑菌等が移って被取付箇所Ｗが汚れたり汚染されることも防止される。
【００４７】
以上、各実施の形態では、衣服Ｃとして白衣を例に挙げて説明したが、本発明のハンガは、作業服の上着やズボン、背広、セーター、スカート等の衣服を吊り下げるために使用することも可能である。また、ハンガを取り付ける被取付箇所Ｗとしては、スチール製のロッカ側面のほか、病院においては鉄板製のドアやスチール製の本棚の側面、建設現場等の屋外においては重機等の建設車両や、プレハブ形式の現場事務所の鉄板製の壁面を被取付箇所Ｗとして取り付けたり、店舗の鉄板製の壁面を被取付箇所Ｗとしてディスプレイ用に取り付けることも可能である。特に建設現場のプレハブ形式の現場事務所にはロッカが少なく、鉄板製の壁面であることが多いので、鉄板製の壁面に取り付けて使用すると壁面をロッカの代わりに収納スペースとして活用できて有効である。また、取付手段１０がネジや釘やビスや粘着テープであるアタッチメントを使用する場合は、ガラス製の窓や木製やコンクリート製の壁面、その他磁石が吸着しない面にも取り付けることが可能である。
【００４８】
【発明の効果】
本発明のアタッチメントが付属するハンガは、第１の磁石がハンガ本体の表側に凸状に付設されているために、衣服はハンガ本体に掛けられるとともに被取付箇所と磁石との間に挟持されて吊り下げられる。したがって、衣服とハンガとの間に隙間が形成されて通気性が確保される。また、ハンガ本体と被取付箇所との間にも隙間が形成されるため、衣服が重なり合う等して厚みが生じた場合でもその隙間に収まり、第１の磁石が浮き上がってハンガが被取付箇所から外れるという事態も生じ難い。第１の磁石がハンガ本体の裏側に凸状に付設されているために、梃子の原理により磁石を支点としてハンガ本体を傾け、磁石が被取付箇所から一部離された状態とすることも可能であり、ハンガを被取付箇所から容易に取り外すことができる。
【００４９】
ハンガ本体を円形としてハンガの方向性を無くすことで、ハンガがいかなる方向で被取付箇所に取り付けられても、ハンガ本体の方向性を気にかけることなく衣服を掛止することができる。また、ハンガの上下や傾きに注意する必要がなく、取り付けの煩雑さが軽減される。ハンガ本体の傾きを原因として衣服が滑り落ちたり衣服が掛けられない事態も生じない。磁石をハンガ本体の裏側のほぼ中心に一つ付設することにより、磁石よりも離れた位置であればいずれの位置を押しても、梃子の原理を利用してハンガを被取付箇所から取り外し易くすることができる。ハンガ本体に厚み方向に通気孔が設けられることにより、通気孔を介して衣服の内側の空気が流動し、衣服に対する通気性を向上させることができる。ハンガ本体に把持部を設けることにより、把持部を把持してハンガに衣服を掛けたり、ハンガを被取付箇所に取り付け・取り外しすることができ、操作性が向上される。
【００５０】
また、本発明のアタッチメントを付属するハンガを使用すれば、ハンガがアタッチメントを介して被取付箇所に取り付けられ、ハンガ本体の第１の磁石とアタッチメントの第２の磁石とが吸着し合うこととなる。したがって、ハンガを直接被取付箇所に取り付ける場合と比較して、より強い吸着力をもってハンガを被取付箇所に取り付けることが可能となる。ハンガをアタッチメントに取り付けたときにハンガ本体の第１の磁石よりも下方となる位置に、ハンガの側に突出した突起を設けることにより、衣服をハンガに掛けてアタッチメントに取り付けると、アタッチメントの突起に衣服が引っかかり、衣服の重量が分散されてハンガが外れたり滑り落ち難くなる。また、衣服の重量が重すぎてハンガがアタッチメントの表面を滑り落ちてしまう場合でも、アタッチメントの突起がストッパーとなり、ハンガがそれ以上に滑り落ちるのを防止することができる。また、アタッチメントの厚みにより被取付箇所と衣服との間に隙間が生じるため、さらに通気性が向上される。衣服に汗や埃や薬品が雑菌が付着していても、この汗や雑菌等が移って被取付箇所が汚れたり汚染されることも防止される。
【００５１】
【図面の簡単な説明】
【図１】本発明の第１の実施の形態のハンガを示す斜視図
【図２】上記第１の実施の形態のハンガを示す正面図
【図３】上記第１の実施の形態のハンガを示す断面図
【図４】上記第１の実施の形態のハンガを示す背面図
【図５】上記第１の実施の形態のハンガの使用状態を示す図
【図６】上記第１の実施の形態のハンガの磁石の取り付けと把持部の他の例を示す断面図
【図７】上記第１の実施の形態のハンガ本体の例を示す正面図
【図８】上記第１の実施の形態のハンガの通気孔の例を示す正面図
【図９】上記第１の実施の形態のハンガの把持部の他の例を示す断面図
【図１０】上記第１の実施の形態のハンガの把持部の他の例を示す斜視図
【図１１】上記第１の実施の形態のハンガの応用例を示す断面図
【図１２】上記第１の実施の形態のハンガの応用例を示す斜視図
【図１３】本発明の第２実施の形態のアタッチメントが付属されたハンガを示す斜視図
【図１４】上記第２の実施の形態のアタッチメントが付属されたハンガを示す断面図
【図１５】本実施の形態のアタッチメントが付属されたハンガの使用状態を示す図
【図１６】本実施の形態のアタッチメントの突起の他の例を示す斜視図
【図１７】従来の磁石付き掛止具を示す図
【符号の説明】
Ｈ，Ｈａ，Ｈｂ，Ｈｃ，Ｈｄ，Ｈｅ，Ｈｆ  ハンガ
Ａ  アタッチメント
１  ハンガ本体
１ａ  ハンガ本体の裏側（一側面側）
１ｂ  ハンガ本体の表側
１ｃ  ハンガ本体の外周端部
２  第１の磁石
３  凸部
３ａ  凹部
４  通気孔
５  把持部
５ａ  把持される部分
５ｂ  ハンガ本体と連結する部分
５ｃ  把持部の先端
５ｄ  キャップ
５ｅ  キャップの孔
６  金属材
７  空間
８  基板
９  第２の磁石
１０  取付手段
１１  金属材
ｈ  凸部の高さ（磁石がハンガ本体の裏側から突出する高さ）
【図１】
0004621409.tif 000002
【図２】
0004621409.tif 000003
【図３】
0004621409.tif 000004
【図４】
0004621409.tif 000005
【図５】
0004621409.tif 000006
【図６】
0004621409.tif 000007
【図７】
0004621409.tif 000008
【図８】
0004621409.tif 000009
【図９】
0004621409.tif 000010
【図１０】
0004621409.tif 000011
【図１１】
0004621409.tif 000012
【図１２】
0004621409.tif 000013
【図１３】
0004621409.tif 000014
【図１４】
0004621409.tif 000015
【図１５】
0004621409.tif 000016
【図１６】
0004621409.tif 000017
【図１７】
0004621409.tif 000018